(57)【要約】【課題】  明るさを簡易に変更可能として明るさを変更する際のコストを低減したバックライトユニットを得る。【解決手段】  フレーム１２に凹状に形成された固定部４２が等間隔で複数並んでそれぞれ形成され、固定部４２に嵌まり込む大きさに形成された保持部材４６が複数有り、各保持部材４６を固定部４２に着脱可能に取り付ける。導電性の部材を屈曲して形成したランプ接続部材２２を保持した状態で、保持部材４６をフレーム１２の固定部４２に取り付けることにより、フレーム１２にランプ接続部材２２が固定される。例えば一つおきの固定部４２に、ランプ接続部材２２を保持した状態の保持部材４６を選択的に取り付け、このランプ接続部材２２に蛍光ランプ２８を取り付けることで、ランプ接続部材２２をフレーム１２の全ての固定部４２に取り付けた場合の約半分の明るさとなる。【選択図】  図１
2005158585.tif 000002
【特許請求の範囲】
【請求項１】
導電性の部材で形成され且つ、電力の入力により発光する蛍光ランプが一端に取り付け可能とされると共に、電源に他端が接続されるランプ接続部材と、
ランプ接続部材を保持し得る保持部材と、
保持部材を着脱可能な固定部が複数並んで形成された本体部材と、
を具備したことを特徴とするバックライトユニット。
【請求項２】
導電性の部材で形成され且つ、電力の入力により発光する蛍光ランプが一端に取り付け可能とされると共に、電源に他端が接続されるランプ接続部材と、
ランプ接続部材を保持し得る保持部材と、
ランプ接続部材或いは保持部材に弾性変形可能に形成される弾性変形部と、
保持部材をスライド可能に案内し得る案内部を有する本体部材と、
本体部材に形成され且つ、弾性変形部が当接されて弾性変形部の弾性によりランプ接続部材を案内部内の任意の位置で位置決めする受部と、
を具備したことを特徴とするバックライトユニット。
【請求項３】
導電性の部材で形成され且つ、電力の入力により発光する蛍光ランプが一端に取り付け可能とされると共に、電源に他端が接続されるランプ接続部材と、
ランプ接続部材を保持し得る保持部材と、
凹凸が連続して形成された案内部を有する本体部材と、
保持部材に凸状或いは凹状に形成され且つ、案内部の凹凸と係合してランプ接続部材を案内部内の任意の位置で位置決めする係合部と、
を具備したことを特徴とするバックライトユニット。
【発明の詳細な説明】
【技術分野】
【０００１】
本発明は、明るさを簡易に変更可能として明るさを変更する際のコストを低減したバックライトユニットに係り、例えば、液晶ディスプレイの背面に配置されて液晶ディスプレイを照明するのに好適なものである。
【背景技術】
【０００２】
液晶ディスプレイ等の表示装置の明るさを増すことを目的として、表示装置に背面側に配置されて用いられるバックライトユニットには、例えば特許文献１〜３の各公報のように、複数本の蛍光ランプを反射板に対向する形で取り付けるような構造にしたものが、知られている。
【特許文献１】特開平８−１７３９７号公報
【特許文献２】特開２００２−８２６２３号公報
【特許文献３】特開平６−２５８６３９号公報
【発明の開示】
【発明が解決しようとする課題】
【０００３】
上記のようにこれら公報に開示されたバックライトユニットでは、反射板に対向して複数本の蛍光ランプが取り付けられているものの、明るさの調整が必要な場合には、蛍光ランプの本数を増減させて対処することが考えられる。
【０００４】
しかし、これら従来のバックライトユニットでは、蛍光ランプの本数を増減することは容易ではなく、例えば反射板や反射板を支持するフレームの設計を変更してこれらの部材を製造する為の金型を新たに作製し、蛍光ランプの取り付け本数を増減させた構造の反射板及びフレームをこの金型によって製造するようにしていた。以上より、明るさを変更することは容易ではなく、変更に際して多大の製造コストを要していた。
本発明は上記事実を考慮し、明るさを簡易に変更可能として明るさを変更する際のコストを低減したバックライトユニットを提供することを目的とする。
【課題を解決するための手段】
【０００５】
請求項１によるバックライトユニットは、導電性の部材で形成され且つ、電力の入力により発光する蛍光ランプが一端に取り付け可能とされると共に、電源に他端が接続されるランプ接続部材と、
ランプ接続部材を保持し得る保持部材と、
保持部材を着脱可能な固定部が複数並んで形成された本体部材と、
を具備したことを特徴とする。
【０００６】
請求項１に係るバックライトユニットの作用を以下に説明する。
本請求項によれば、導電性の部材で形成されるランプ接続部材の一端に、電力の入力により発光する蛍光ランプが取り付け可能とされていて、このランプ接続部材の他端が電源に接続されるようになっている。さらに、本体部材に複数並んで形成された固定部に、このランプ接続部材を保持する保持部材が着脱可能に取り付けられることで、ランプ接続部材が保持部材を介して本体部材に固定されている。
【０００７】
従って、ランプ接続部材を保持した保持部材が本体部材に取り付けられて電源にランプ接続部材が接続された状態で、このランプ接続部材に蛍光ランプを取り付けることにより、ランプ接続部材を介して蛍光ランプと電源とが接続されるので、電源からこの蛍光ランプへの電力の供給によってこの蛍光ランプが発光するようになる。
【０００８】
以上より、本請求項のバックライトユニットによれば、導電性を有したランプ接続部材を用いると共にこのランプ接続部材を保持した保持部材を用いたことで、バックライトユニットの構造が簡素化されるだけでなく、本体部材に複数並んで形成された固定部の何れかに選択的にこのランプ接続部材を配置し、或いは全ての固定部にこのランプ接続部材を配置可能になった。
【０００９】
これに合わせて、バックライトユニットの本体部材に取り付けられる蛍光ランプの本数が変更可能となるのに伴い、容易に明るさが変更可能となった。この為、バックライトユニットの本体部材用の金型を製作して本体部材の構造を変更しなくとも、容易に明るさを変更可能となるので、明るさを変更する場合におけるコストを低減可能になった。
【００１０】
請求項２によるバックライトユニットは、導電性の部材で形成され且つ、電力の入力により発光する蛍光ランプが一端に取り付け可能とされると共に、電源に他端が接続されるランプ接続部材と、
ランプ接続部材を保持し得る保持部材と、
ランプ接続部材或いは保持部材に弾性変形可能に形成される弾性変形部と、
保持部材をスライド可能に案内し得る案内部を有する本体部材と、
本体部材に形成され且つ、弾性変形部が当接されて弾性変形部の弾性によりランプ接続部材を案内部内の任意の位置で位置決めする受部と、
を具備したことを特徴とする。
【００１１】
請求項２に係るバックライトユニットの作用を以下に説明する。
本請求項によれば、請求項１と同様に、導電性の部材で形成されるランプ接続部材の一端に、電力の入力により発光する蛍光ランプが取り付け可能とされていて、このランプ接続部材の他端が電源に接続されるようになっている。
【００１２】
さらに、このランプ接続部材を保持する保持部材が、本体部材に設けられた案内部内でスライド可能に案内される形とされ、ランプ接続部材或いは保持部材に弾性変形可能に形成される弾性変形部が、本体部材に形成された受部に当接される構造になっている。そして、この弾性変形部が受部に当接して弾性変形するのに伴う弾性変形部の付勢力により、ランプ接続部材が保持部材を介して案内部内の任意の位置で位置決め可能になる。
【００１３】
従って、本請求項も請求項１と同様に、ランプ接続部材を保持した保持部材が本体部材に取り付けられて電源にランプ接続部材が接続された状態で、このランプ接続部材に蛍光ランプを取り付けることにより、ランプ接続部材を介して蛍光ランプと電源とが接続されるので、電源からこの蛍光ランプへの電力の供給によってこの蛍光ランプが発光するようになる。
【００１４】
以上より、本請求項のバックライトユニットによれば、請求項１と同様に、バックライトユニットの構造が簡素化されるだけでなく、本体部材に形成された案内部内の任意の位置にこのランプ接続部材を配置でき、これに伴い案内部内に任意の数だけランプ接続部材を配置可能になった。これに合わせて請求項１と同様に、バックライトユニットの本体部材に取り付けられる蛍光ランプの本数が変更可能となるのに伴って、容易に明るさが変更可能となり、明るさを変更する場合におけるコストを低減可能になった。
【００１５】
請求項３によるバックライトユニットは、導電性の部材で形成され且つ、電力の入力により発光する蛍光ランプが一端に取り付け可能とされると共に、電源に他端が接続されるランプ接続部材と、
ランプ接続部材を保持し得る保持部材と、
凹凸が連続して形成された案内部を有する本体部材と、
保持部材に凸状或いは凹状に形成され且つ、案内部の凹凸と係合してランプ接続部材を案内部内の任意の位置で位置決めする係合部と、
を具備したことを特徴とする。
【００１６】
請求項３に係るバックライトユニットの作用を以下に説明する。
本請求項によれば、請求項１及び請求項２と同様に、導電性の部材で形成されるランプ接続部材の一端に、電力の入力により発光する蛍光ランプが取り付け可能とされていて、このランプ接続部材の他端が電源に接続されるようになっている。
【００１７】
さらに、このランプ接続部材を保持し得る保持部材に形成された凸状或いは凹状の係合部が、本体部材に設けられた案内部の連続した凹凸に係合する構造になっている。そして、係合部が案内部の凹凸に係合することにより、ランプ接続部材が保持部材を介して案内部内の任意の位置で位置決め可能になる。
【００１８】
従って、本請求項も請求項１及び請求項２と同様に、ランプ接続部材を保持した保持部材が本体部材に取り付けられて電源にランプ接続部材が接続された状態で、このランプ接続部材に蛍光ランプを取り付けることにより、ランプ接続部材を介して蛍光ランプと電源とが接続されるので、電源からこの蛍光ランプへの電力の供給によってこの蛍光ランプが発光するようになる。
【００１９】
以上より、本請求項のバックライトユニットによれば、請求項１及び請求項２と同様に、バックライトユニットの構造が簡素化されるだけでなく、本体部材に形成された案内部内の任意の位置にこのランプ接続部材を配置でき、これに伴い案内部内に任意の数だけランプ接続部材を配置可能になった。これに合わせて請求項１及び請求項２と同様に、バックライトユニットの本体部材に取り付けられる蛍光ランプの本数が変更可能となるのに伴って、容易に明るさが変更可能となり、明るさを変更する場合におけるコストを低減可能になった。
【発明の効果】
【００２０】
本発明のバックライトユニットによれば、明るさを簡易に変更可能として明るさを変更する際のコストを低減できることになり、特に液晶ディスプレイの背面に配置されて液晶ディスプレイを照明するのに好適なバックライトユニットとされる。
【発明を実施するための最良の形態】
【００２１】
以下、図面を参照しつつ本発明に係るバックライトユニットの第１の実施の形態を説明することにより、本発明を明らかにする。図１及び図５は、本実施の形態による液晶ディスプレイ（図示せず）の照明用のバックライトユニット１０の外観を表す斜視図である。反射板１４の一端側が取り付けられるこの図１及び図５に示すバックライトユニット１０の外枠をフレーム１２が構成している。尚、図示しないものの、この反射板１４の他端側も他のフレームに取り付けられている。
【００２２】
図１及び図２に示すように、このフレーム１２には、凹状に形成された固定部４２が等間隔で複数並んでそれぞれ形成されており、これら固定部４２を形成する奥側の壁面部分には、フック状の爪部４４が直立するように配置されている。さらに、この固定部４２に嵌まり込む大きさでＵ字状に形成された合成樹脂製の図３に示す保持部材４６が複数有り、これら各保持部材４６をそれぞれ固定部４２に着脱可能に取り付け得るようになっている。
【００２３】
つまり、爪部４４の弾性に抗して保持部材４６を固定部４２内に例えば図２の上方から押し込むことで、この保持部材４６が簡易に爪部４４と係合して保持部材４６がこの爪部４４に支持されつつ、フレーム１２の固定部４２に取り付けられるようになっている。尚、保持部材４６をフレーム１２から取り外す際には、爪部４４を図２の奥側に押し込むことで、容易に取り外し可能となる。
【００２４】
一方、図３に示すように、これら保持部材４６の中央部に設けられた凹部４６Ａの左右部分には、直線状に伸びる溝とされる一対の溝部１６がそれぞれ形成されており、保持部材４６のこれら一対の溝部１６には、金属板等の導電性の部材を屈曲して形成したランプ接続部材２２の左右端がそれぞれ圧入されて、この保持部材４６がランプ接続部材２２を保持する構造になっている。以上より、ランプ接続部材２２を保持した状態の保持部材４６をフレーム１２の固定部４２に取り付けることで、フレーム１２にランプ接続部材２２が固定されることになる。
【００２５】
他方、図４、図６及び図７に示すように、このランプ接続部材２２の中央部分には、バーリング加工された貫通穴となる穴状電極部２２Ｂが形成されており、この穴状電極部２２Ｂを中心とした対称の部分には、それぞれ屈曲されつつ伸びる一対のアーム２４が、設けられている。そして、この一対のアーム２４の根元部分が、弧状に形成された弧状電極部２２Ｃとそれぞれされている。
【００２６】
図４及び図７に示すように、これら一対のアーム２４の中程は、相互間が一旦狭くなってからそれぞれ円弧状に形成されることで、相互間に円状の空間を有したランプ保持部２６とされている。さらにこれら一対のアーム２４の先端側部分は、相互間が開いた構造になっている。
【００２７】
従って、ランプ接続部材２２の図７における下部側には、一対のアーム２４により形成されたランプ保持部２６が備えられており、蛍光ランプ２８の円筒状に形成された入力端子２８Ａが、一対のアーム２４の相互間が開いた先端側部分から、簡易にこのランプ保持部２６に取り付け可能になっている。また、蛍光ランプ２８の入力端子２８Ａを取り外す際も、蛍光ランプ２８をランプ接続部材２２から引き離すように力を加えれば、容易に取り外し可能となる。つまり、蛍光ランプ２８を簡易にランプ接続部材２２に対して着脱可能な構造になっている。
【００２８】
以上より、フレーム１２に等間隔で複数並んで各固定部４２がそれぞれ形成されているが、図１及び図２に示すように例えば一つおきの固定部４２に、ランプ接続部材２２を保持した状態の保持部材４６を選択的に取り付け、このランプ接続部材２２のランプ保持部２６に蛍光ランプ２８の入力端子２８Ａを取り付けることが考えられる。この結果として、本実施の形態では、ランプ接続部材２２を保持した状態の保持部材４６をフレーム１２の全ての固定部４２に取り付けた場合の約半分の明るさとなる。
【００２９】
さらに、図４、図６及び図７に示すように、このランプ接続部材２２の上部側の穴状電極部２２Ｂに隣り合った部分には、平面状に形成された平面電極部２２Ａが設けられている。この平面電極部２２Ａ上には、直方体状に形成され且つ弾性及び導電性を有したコネクタ材であるラバーコネクタ３２が、設置されている。尚、このラバーコネクタ３２内には複数本の金属線３２Ａが等間隔で入っていて、導電性を確保している。
【００３０】
また、バックライトユニット１０の裏側であって図５における上面側となる反射板１４及びフレーム１２の部分には、先端側にテーパ状に突出した部分を有した爪部１８、２０が、直立するように複数並んで配置されている。一方、トランス３８だけでなく図示しない電子部品がプリント基板３６上に搭載されることで、バックライト駆動用のインバータユニットである電源ユニット３４が形成されており、図５に示すように、この電源ユニット３４は、プリント基板３６の下面側に配置された出力端子となるランドであるパターン面３６Ａから電力を外部に供給し得るようになっている。
【００３１】
そして、このパターン面３６Ａがラバーコネクタ３２と対向する位置関係となるように、バックライトユニット１０の裏側からフレーム１２の爪部１８及び反射板１４の爪部２０の弾性に抗して、電源ユニット３４を反射板１４側に押しつけることで、この電源ユニット３４が簡易にフック状の爪部１８、２０と係合して、バックライトユニット１０の本体部材を構成するフレーム１２及び反射板１４に、この電源ユニット３４が支持される。尚、電源ユニット３４をフレーム１２及び反射板１４から取り外す際には、爪部１８、２０を押し広げることで、容易に取り外し可能となる。
【００３２】
以上の結果として、電源ユニット３４を構成するプリント基板３６のパターン面３６Ａが、ラバーコネクタ３２と当接して、これらが電気的に接続されることになり、この際に、フレーム１２及び反射板１４に支持されたプリント基板３６のパターン面３６Ａと、同じくフレーム１２に保持部材４６を介して固定されたランプ接続部材２２との間に、このラバーコネクタ３２が確実に保持されることになる。これに伴って、このパターン面３６Ａとランプ接続部材２２の平面電極部２２Ａとの間が、ラバーコネクタ３２内の導電性の部分を介して電気的に繋がれることで、蛍光ランプ２８に電力が供給されて、蛍光ランプ２８が発光することになる。
【００３３】
さらに、本実施の形態のバックライトユニット１０では、フレーム１２に複数存在する固定部４２の内の一つおきの箇所に、それぞれランプ接続部材２２及びこのランプ接続部材２２を保持した保持部材４６が固定される形で配置されることになり、これに伴って、一つのランプ接続部材２２に電源ユニット３４及び蛍光ランプ２８が一つずつ接続される形となる。この為、ランプ接続部材２２の数に合わせて複数の電源ユニット３４及び蛍光ランプ２８が取り付け可能となっている。
【００３４】
次に、本実施の形態に係るバックライトユニット１０の作用を説明する。
本実施の形態に係るバックライトユニット１０によれば、導電性の部材で形成されるランプ接続部材２２の一端であるランプ保持部２６に、電力の入力により発光する蛍光ランプ２８が取り付け可能とされていて、このランプ接続部材２２の他端である平面電極部２２Ａがラバーコネクタ３２を介して電源ユニット３４に接続されるようになっている。さらに、フレーム１２に複数並んで形成された固定部４２に、このランプ接続部材２２を保持する保持部材４６が着脱可能に取り付けられることで、ランプ接続部材２２が保持部材４６を介してフレーム１２に固定されている。
【００３５】
つまり、ランプ接続部材２２を保持した保持部材４６がフレーム１２に取り付けられられると共に、電源ユニット３４がフレーム１２及び反射板１４に支持されることで、電源ユニット３４のパターン面３６Ａと平面電極部２２Ａとの間を、この平面電極部２２Ａ上に配置されたラバーコネクタ３２が電気的に繋いで、電源ユニット３４にランプ接続部材２２が接続された状態となる。
【００３６】
そして、この電源ユニット３４にランプ接続部材２２が接続された状態で、このランプ接続部材２２のランプ保持部２６に蛍光ランプ２８を取り付けることにより、ラバーコネクタ３２及びランプ接続部材２２を介して蛍光ランプ２８と電源ユニット３４とが接続されるので、電源ユニット３４のパターン面３６Ａから蛍光ランプ２８の入力端子２８Ａへの電力の供給によって、この蛍光ランプ２８が発光するようになる。
【００３７】
以上より、本実施の形態のバックライトユニット１０によれば、導電性を有したランプ接続部材２２を用いると共にこのランプ接続部材２２を保持した保持部材４６を用いたことで、バックライトユニット１０の構造が簡素化されるだけでなく、フレーム１２に複数並んで形成された固定部４２の何れかに選択的にこのランプ接続部材２２を配置し、或いは全ての固定部４２にこのランプ接続部材２２を配置可能になった。
【００３８】
これに合わせて、バックライトユニット１０のフレーム１２に取り付けられる蛍光ランプ２８の本数が変更可能となるのに伴い、容易に明るさが変更可能となった。この為、バックライトユニット１０のフレーム１２用の金型を製作してフレーム１２の構造を変更しなくとも、容易に明るさを変更可能となるので、明るさを変更する場合におけるコストを低減可能になった。
【００３９】
次に、本発明に係るバックライトユニットの第２の実施の形態を図８から図１１に基づき説明する。尚、第１の実施の形態で説明した部材と同一の部材には同一の符号を付して、重複した説明を省略する。
第１の実施の形態と同様に本実施の形態も、図８から図１０に示すランプ接続部材２２及び保持部材４６を有している。但し、本実施の形態では、図１０に示すようにランプ接続部材２２を保持し得る保持部材４６が板状に形成されており、また、この保持部材４６の上下面を貫通する開口部４６Ｂを有した構造になっている。さらに、図１１に示すように、金属製のランプ接続部材２２の一端には、弾性変形可能となるように片持ち状に形成された弾性変形部である弾性片４８が、設けられている。そして、この弾性片４８は、上側に伸びると共に中程の屈曲部４８Ａで曲げられて、Ｖ字形に形成されている。
【００４０】
一方、フレーム１２には、保持部材４６をスライド可能に案内し得る案内溝とされる案内部５０が、フレーム１２の長手方向に沿って長く形成されるように、設けられている。この案内部５０の上部を構成する上壁５０Ａの下面側には、凹凸が連続して形成された構造の受部５２が設けられている。この為、この受部５２の凹状部分に弾性片４８の屈曲部４８Ａが入り込むように、当接される構造になっている。
【００４１】
次に、本実施の形態に係るバックライトユニット１０の作用を説明する。
本実施の形態に係るバックライトユニット１０によれば、第１の実施の形態と同様に、ランプ接続部材２２の一端に電力の入力により発光する蛍光ランプ２８が取り付け可能とされていて、このランプ接続部材２２の他端が電源ユニット３４に接続されるようになっている。
【００４２】
さらに、このランプ接続部材２２を保持する保持部材４６が、フレーム１２に設けられた案内部５０内でスライド可能に案内される形とされていて、このランプ接続部材２２に弾性変形可能に形成されている弾性片４８が、上記のようにフレーム１２に形成された受部５２に当接される構造になっている。そして、この弾性片４８が受部５２に当接して弾性変形するのに伴い、この弾性片４８の付勢力により、ランプ接続部材２２及び保持部材４６が案内部５０内の任意の位置で、位置決め可能になる。
【００４３】
従って、本実施の形態も第１の実施の形態と同様に、ランプ接続部材２２を保持した保持部材４６がフレーム１２に取り付けられて電源ユニット３４にランプ接続部材２２が接続された状態で、このランプ接続部材２２のランプ保持部２６に蛍光ランプ２８を取り付けることができる。これに伴って、ランプ接続部材２２を介して蛍光ランプ２８と電源ユニット３４とが接続されるので、電源ユニット３４から蛍光ランプ２８への電力の供給によってこの蛍光ランプ２８が発光するようになる。
【００４４】
以上より、本実施の形態のバックライトユニット１０によれば、第１の実施の形態と同様に、バックライトユニット１０の構造が簡素化されるだけでなく、フレーム１２に形成された案内部５０内の任意の位置にこのランプ接続部材２２を配置でき、これに伴い案内部５０内に任意の数だけランプ接続部材２２を配置可能になった。
【００４５】
これに合わせて第１の実施の形態と同様に、バックライトユニット１０のフレーム１２に取り付けられる蛍光ランプ２８の本数が変更可能となるのに伴い、容易に明るさが変更可能となり、明るさを変更する場合におけるコストを低減可能になった。尚、本実施の形成では、金属製のランプ接続部材２２の一端に弾性変形部である弾性片４８が設けられていたが、保持部材４６に弾性変形部を設けるようにしても良い。
【００４６】
次に、本発明に係るバックライトユニットの第３の実施の形態を図１２から図１４に基づき説明する。尚、第１の実施の形態及び第２の実施の形態で説明した部材と同一の部材には同一の符号を付して、重複した説明を省略する。
第１、第２の実施の形態と同様に本実施の形態も、図１２から図１４に示すランプ接続部材２２及び保持部材４６を有している。但し、本実施の形態では、図１４に示すようにランプ接続部材２２を保持し得る保持部材４６が、第２の実施の形態と同様に板状に形成されていて、その上下面を貫通する開口部４６Ｂを有した構造にされている。また、この保持部材４６の奥側部分には、奥側に向かって凸状に突出するように形成された係合部５４が設けられている。
【００４７】
一方、図１２及び図１３に示すフレーム１２には、案内溝とされる案内部５０がフレーム１２の長手方向に沿って長く形成されるように、設けられており、この案内部５０の奥側部分を構成する壁部５０Ｂには、凹凸が連続して形成された構造とされている。この為、保持部材４６をフレーム１２の案内部５０の任意の位置に配置することで、凸状の係合部５４が案内部５０の凹凸の内の凹状部分と係合するようになっている。
【００４８】
次に、本実施の形態に係るバックライトユニット１０の作用を説明する。
本実施の形態に係るバックライトユニット１０によれば、第１、第２の実施の形態と同様に、ランプ接続部材２２の一端に電力の入力により発光する蛍光ランプ２８が取り付け可能とされていて、このランプ接続部材２２の他端が電源ユニット３４に接続されるようになっている。
【００４９】
さらに、このランプ接続部材２２を保持し得る保持部材４６に形成された凸状の係合部５４が、フレーム１２に設けられた案内部５０の連続した凹凸の内の凹状部分に係合する構造になっている。そして、係合部５４が案内部５０の凹状部分に係合することにより、ランプ接続部材２２及び保持部材４６が案内部５０内の任意の位置で、位置決め可能になる。
【００５０】
従って、本実施の形態も第１、第２の実施の形態と同様に、ランプ接続部材２２を保持した保持部材４６がフレーム１２に取り付けられて電源ユニット３４にランプ接続部材２２が接続された状態で、このランプ接続部材２２のランプ保持部２６に蛍光ランプ２８を取り付けることにより、この蛍光ランプ２８が発光するようになる。
【００５１】
以上より、本実施の形態のバックライトユニット１０によれば、第１、第２の実施の形態と同様に、バックライトユニット１０の構造が簡素化されるだけでなく、フレーム１２に形成された案内部５０内の任意の位置にこのランプ接続部材２２を配置でき、これに伴い案内部５０内に任意の数だけランプ接続部材２２を配置可能になった。
【００５２】
これに合わせて第１、第２の実施の形態と同様に、バックライトユニット１０のフレーム１２に取り付けられる蛍光ランプ２８の本数が変更可能となるのに伴い、容易に明るさが変更可能となり、明るさを変更する場合におけるコストを低減可能になった。尚、本実施の形態においては、凸状の係合部５４が保持部材４６に形成された構造になっているが、係合部５４を凹状に形成しても、案内部５０の凹凸と係合してランプ接続部材２２を案内部５０内の任意の位置で位置決めできるので、係合部５４を凹状としても良い。
【００５３】
一方、本実施の形態では、ランプ接続部材２２が、平面電極部２２Ａ、穴状電極部２２Ｂ及び弧状電極部２２Ｃ等の複数の電極部を同時に兼ね備え、これら複数の電極部の何れかと電源ユニット３４のパターン面３６Ａとの間をコネクタ材によって電気的に繋ぐ構造となっているので、ランプ接続部材２２に対して電源ユニット３４を柔軟に接続できる構造にもなる。つまり、製造コスト、組立作業性及びバックライトユニット１０の構造等によって、接続構造を使い分けることも可能になっている。
【００５４】
さらに、本実施の形態によれば、上記のランプ接続部材２２を用いたことにより、電源ユニット３４と蛍光ランプ２８との間を最短距離の３ｍｍ程度で接続できる結果として、高電圧となっている部分からの漏れ電流を減少させ、交流抵抗を減らすことが可能になる。これに伴い、高電圧の部分と周辺部品との間の電圧差を有する部分も短くなり、安全性も高くなる。また、上記実施の形態は、バックライトユニットを液晶ディスプレイの照明用として説明したが、他の種類の表示装置に本発明を採用しても良い。
【図面の簡単な説明】
【００５５】
【図１】本発明の第１の実施の形態に係るバックライトユニットの外観を表す斜視図である。
【図２】本発明の第１の実施の形態に係るバックライトユニットの外観を表す要部拡大斜視図である。
【図３】本発明の第１の実施の形態に係るバックライトユニットに適用されるランプ接続部材を保持した状態の保持部材の要部拡大斜視図である。
【図４】本発明の第１の実施の形態に係るバックライトユニットに適用されるランプ接続部材の拡大斜視図である。
【図５】本発明の第１の実施の形態に係るバックライトユニットの外観を表す別の角度から見た斜視図である。
【図６】本発明の第１の実施の形態に係るバックライトユニットに適用されるランプ接続部材の周辺を表す要部拡大斜視図である。
【図７】本発明の第１の実施の形態に係るバックライトユニットに適用されるランプ接続部材の周辺を表す要部拡大斜視図であって、ラバーコネクタがない状態を示す図である。
【図８】本発明の第２の実施の形態に係るバックライトユニットの反射板を取り除いた状態での外観を表す斜視図である。
【図９】本発明の第２の実施の形態に係るバックライトユニットの外観を表す要部拡大斜視図である。
【図１０】本発明の第２の実施の形態に係るバックライトユニットに適用されるランプ接続部材を保持した状態の保持部材の周辺を表す要部拡大斜視図である。
【図１１】本発明の第２の実施の形態に係るバックライトユニットに適用されるランプ接続部材の拡大斜視図である。
【図１２】本発明の第３の実施の形態に係るバックライトユニットの反射板を取り除いた状態での外観を表す斜視図である。
【図１３】本発明の第３の実施の形態に係るバックライトユニットの外観を表す要部拡大斜視図である。
【図１４】本発明の第３の実施の形態に係るバックライトユニットに適用されるランプ接続部材を保持した状態の保持部材の要部拡大斜視図である。
【符号の説明】
【００５６】
１０            バックライトユニット
１２            フレーム（本体部材）
１４            反射板（本体部材）
２２            ランプ接続部材
２８            蛍光ランプ
３４            電源ユニット（電源）
４２            固定部
４６            保持部材
４８            弾性片（弾性変形部）
５０            案内部
５２            受部
５４            係合部
【図１】
2005158585.tif 000003
【図２】
2005158585.tif 000004
【図３】
2005158585.tif 000005
【図４】
2005158585.tif 000006
【図５】
2005158585.tif 000007
【図６】
2005158585.tif 000008
【図７】
2005158585.tif 000009
【図８】
2005158585.tif 000010
【図９】
2005158585.tif 000011
【図１０】
2005158585.tif 000012
【図１１】
2005158585.tif 000013
【図１２】
2005158585.tif 000014
【図１３】
2005158585.tif 000015
【図１４】
2005158585.tif 000016